(57)【要約】  電子部品実装装置を用いた生産を行う生産計画に対して最適な位置に割込生産を挿入し、段取り替え時間を短縮することが可能な生産計画の決定方法および決定装置を提供することを目的とする。  生産計画の決定方法は、初期生産計画のうち割込生産を挿入可能な挿入候補を検索する挿入候補検索工程と、割込生産の前後の段取り替えに要する前後段取り替え時間を挿入候補ごとに算出する前後段取り替え時間算出工程と、初期生産計画において選択された挿入候補に割込生産を挿入して生産計画を決定する生産計画決定工程と、を備える。
2013124959.tif 000002
【特許請求の範囲】
【請求項１】
電子部品を収容する複数の部品フィーダと、前記電子部品に対応するノズルと、前記ノズルを装着し回路基板に対して相対的に移動可能に設けられた装着ヘッドと、を備える電子部品実装装置を用いて、
複数種類の前記回路基板のそれぞれに前記電子部品を実装して複数種類の電子回路製品の生産を行う生産計画の決定方法において、
前記生産計画には、複数のスロットにそれぞれ設置する前記部品フィーダ、ノズルステーションに設置する前記ノズル、前記装着ヘッドに装着される前記ノズル、および前記電子部品実装装置に着脱可能に設けられる前記装着ヘッドのうち少なくとも一つを対象として、各生産に対応した段取り替えが含まれ、
複数種類の前記電子回路製品の初期生産計画において別の前記電子回路製品の割込生産を行う際に、前記初期生産計画のうち前記割込生産を挿入可能な挿入候補を検索する挿入候補検索工程と、
前記挿入候補に前記割込生産を挿入した場合における当該割込生産の前後の段取り替えに要する前後段取り替え時間を、当該挿入候補の前後の生産および前記割込生産に基づいて、検索された前記挿入候補ごとに算出する前後段取り替え時間算出工程と、
それぞれの前記挿入候補に対する前記前後段取り替え時間に基づいて一の前記挿入候補を選択し、前記初期生産計画において選択された前記挿入候補に前記割込生産を挿入して前記生産計画を決定する生産計画決定工程と、
を備える生産計画の決定方法。
【請求項２】
前記挿入候補に前記割込生産を挿入した場合における当該割込生産に要する割込生産時間を、当該挿入候補の前の生産および前記割込生産に基づいて、検索された前記挿入候補ごとに算出する割込生産時間算出工程をさらに備え、
前記生産計画決定工程は、それぞれの前記挿入候補に対する前記割込生産時間に基づいて一の前記挿入候補を選択する請求項１の生産計画の決定方法。
【請求項３】
前記初期生産計画における前記挿入候補の後の生産に対応した段取り替えに要する時間と当該挿入候補における前記前後段取り替え時間の増加時間を、検索された前記挿入候補ごとに算出する増加時間算出工程をさらに備え、
前記生産計画決定工程は、それぞれの前記挿入候補に対する前記増加時間に基づいて一の前記挿入候補を選択する請求項１または２の生産計画の決定方法。
【請求項４】
前記挿入候補に前記割込生産を挿入した場合における当該挿入候補以降の段取り替えおよび生産に要する割込後時間を、初期生産計画および前記割込生産に基づいて、検索された前記挿入候補ごとに算出する割込後時間算出工程をさらに備え、
前記生産計画決定工程は、それぞれの前記挿入候補に対する前記割込後時間に基づいて一の前記挿入候補を選択する請求項１〜３の何れか一項の生産計画の決定方法。
【請求項５】
前記挿入候補検索工程は、前記初期生産計画および前記割込生産に設定された生産期限に基づいて前記挿入候補を検索する請求項１〜４の何れか一項の生産計画の決定方法。
【請求項６】
前記生産計画には、複数の前記電子部品実装装置を用いた複数の生産ラインによる前記電子回路製品の生産が含まれ、
前記挿入候補検索工程は、それぞれの前記生産ラインに対して決定されている複数の前記初期生産計画のうち前記割込生産を挿入可能な前記挿入候補を検索する請求項１〜５の何れか一項の生産計画の決定方法。
【請求項７】
電子部品を収容する複数の部品フィーダと、前記電子部品に対応するノズルと、前記ノズルを装着し回路基板に対して相対的に移動可能に設けられた装着ヘッドと、を備える電子部品実装装置を用いて、
複数種類の前記回路基板のそれぞれに前記電子部品を実装して複数種類の電子回路製品の生産を行う生産計画の決定装置において、
前記生産計画には、複数のスロットにそれぞれ設置する前記部品フィーダ、ノズルステーションに設置する前記ノズル、前記装着ヘッドに装着される前記ノズル、および前記電子部品実装装置に着脱可能に設けられる前記装着ヘッドのうち少なくとも一つを対象として、各生産に対応した段取り替えが含まれ、
複数種類の前記電子回路製品の初期生産計画において別の前記電子回路製品の割込生産を行う際に、前記初期生産計画のうち前記割込生産を挿入可能な挿入候補を検索する挿入候補検索部と、
前記挿入候補に前記割込生産を挿入した場合における当該割込生産の前後の段取り替えに要する前後段取り替え時間を、当該挿入候補の前後の生産および前記割込生産に基づいて、検索された前記挿入候補ごとに算出する前後段取り替え時間算出部と、
それぞれの前記挿入候補に対する前記前後段取り替え時間に基づいて一の前記挿入候補を選択し、前記初期生産計画において選択された前記挿入候補に前記割込生産を挿入して前記生産計画を決定する生産計画決定部と、
を備える生産計画の決定装置。
【発明の詳細な説明】
【技術分野】
【０００１】
本発明は、電子部品実装装置を用いた生産の生産計画の決定方法および決定装置に関する。
【背景技術】
【０００２】
電子部品実装装置は、回路基板に電子部品を実装して電子回路製品を生産する装置として用いられている。そして、ある生産ラインにおいて複数種類の電子回路製品を生産する場合には、各電子回路製品の生産とそれぞれの生産に対応した段取り替えにより構成される生産計画に従って生産が行われる。この段取り替えには、複数のスロットに設置する部品フィーダの設置位置や装着ヘッドに装着するノズルなどが含まれ、例えば交換される部材の数量などによって段取り替えに要する時間が異なる。そのため、複数種類の電子回路製品を生産するとしても生産する順序によっては全ての生産に要する時間が異なることになる。【０００３】
そこで、初期生産計画としては、それぞれの電子回路製品に実装される電子部品の種類や生産に設定された生産期限などを勘案して決定されている。例えば、特許文献１には段取り替えの効率化を図る生産方法が開示されている。また、実際の生産ラインにおいては、初期生産計画とは別の電子回路製品の割込生産を行う場合が生じる。割込生産を行うと、部品フィーダやノズルについて、割込生産の前の生産に対して段取り替えを行うとともに、割込生産の終了後においても割込生産の後の生産に対応する段取り替えを行う必要がある。そこで、例えば、特許文献２には、段取り替えに要する時間の短時間化を図る段取り替え計画の決定方法が開示されている。
【先行技術文献】
【特許文献】
【０００４】
【特許文献１】特開２００６−１２９４６号公報
【特許文献２】特開２０１１−１４６５５１号公報
【発明の概要】
【発明が解決しようとする課題】
【０００５】
また、上述したように、複数種類の電子回路製品を生産する順序によって全体の生産時間が相違する。そのため、初期生産計画における複数の生産間のうち割込生産を挿入する位置によっては、割込生産の前後の段取り替え時間も異なり、延いては全体の生産時間にも影響することになる。そのため、作業者は割込生産の挿入位置については、例えば初期生産計画における電子回路製品の種類や割込生産に設定された生産期限などに基づいて経験的に生産計画を決定していた。そのため、初期生産計画に挿入した割込生産の位置が必ずしも最適でない場合もあった。【０００６】
本発明は、このような課題を鑑みてなされたものであり、電子部品実装装置を用いた生産を行う生産計画に対して最適な位置に割込生産を挿入し、効率的な割込生産計画を決定することが可能な生産計画の決定方法および決定装置を提供することを目的とする。
【課題を解決するための手段】
【０００７】
（生産計画の決定方法）
上述した課題を解決するために、請求項１に係る発明によると、電子部品を収容する複数の部品フィーダと、前記電子部品に対応するノズルと、前記ノズルを装着し回路基板に対して相対的に移動可能に設けられた装着ヘッドと、を備える電子部品実装装置を用いて、複数種類の前記回路基板のそれぞれに前記電子部品を実装して複数種類の電子回路製品の生産を行う生産計画の決定方法において、前記生産計画には、複数のスロットにそれぞれ設置する前記部品フィーダ、ノズルステーションに設置する前記ノズル、前記装着ヘッドに装着される前記ノズル、および前記電子部品実装装置に着脱可能に設けられる前記装着ヘッドのうち少なくとも一つを対象として、各生産に対応した段取り替えが含まれ、複数種類の前記電子回路製品の初期生産計画において別の前記電子回路製品の割込生産を行う際に、前記初期生産計画のうち前記割込生産を挿入可能な挿入候補を検索する挿入候補検索工程と、前記挿入候補に前記割込生産を挿入した場合における当該割込生産の前後の段取り替えに要する前後段取り替え時間を、当該挿入候補の前後の生産および前記割込生産に基づいて、検索された前記挿入候補ごとに算出する前後段取り替え時間算出工程と、それぞれの前記挿入候補に対する前記前後段取り替え時間に基づいて一の前記挿入候補を選択し、前記初期生産計画において選択された前記挿入候補に前記割込生産を挿入して前記生産計画を決定する生産計画決定工程と、を備える。【０００８】
請求項２に係る発明によると、前記挿入候補に前記割込生産を挿入した場合における当該割込生産に要する割込生産時間を、当該挿入候補の前の生産および前記割込生産に基づいて、検索された前記挿入候補ごとに算出する割込生産時間算出工程をさらに備え、前記生産計画決定工程は、それぞれの前記挿入候補に対する前記割込生産時間に基づいて一の前記挿入候補を選択する。【０００９】
請求項３に係る発明によると、前記初期生産計画における前記挿入候補の後の生産に対応した段取り替えに要する時間と当該挿入候補における前記前後段取り替え時間の増加時間を、検索された前記挿入候補ごとに算出する増加時間算出工程をさらに備え、前記生産計画決定工程は、それぞれの前記挿入候補に対する前記増加時間に基づいて一の前記挿入候補を選択する。【００１０】
請求項４に係る発明によると、前記挿入候補に前記割込生産を挿入した場合における当該挿入候補以降の段取り替えおよび生産に要する割込後時間を、初期生産計画および前記割込生産に基づいて、検索された前記挿入候補ごとに算出する割込後時間算出工程をさらに備え、前記生産計画決定工程は、それぞれの前記挿入候補に対する前記割込後時間に基づいて一の前記挿入候補を選択する。【００１１】
請求項５に係る発明によると、前記挿入候補検索工程は、前記初期生産計画および前記割込生産に設定された生産期限に基づいて前記挿入候補を検索する。【００１２】
請求項６に係る発明によると、前記生産計画には、複数の前記電子部品実装装置を用いた複数の生産ラインによる前記電子回路製品の生産が含まれ、前記挿入候補検索工程は、それぞれの前記生産ラインに対して決定されている複数の前記初期生産計画のうち前記割込生産を挿入可能な前記挿入候補を検索する。【００１３】
（生産計画の決定装置）
上述した課題を解決するために、請求項７に係る発明によると、電子部品を収容する複数の部品フィーダと、前記電子部品に対応するノズルと、前記ノズルを装着し回路基板に対して相対的に移動可能に設けられた装着ヘッドと、を備える電子部品実装装置を用いて、複数種類の前記回路基板のそれぞれに前記電子部品を実装して複数種類の電子回路製品の生産を行う生産計画の決定装置において、前記生産計画には、複数のスロットにそれぞれ設置する前記部品フィーダ、ノズルステーションに設置する前記ノズル、前記装着ヘッドに装着される前記ノズル、および前記電子部品実装装置に着脱可能に設けられる前記装着ヘッドのうち少なくとも一つを対象として、各生産に対応した段取り替えが含まれ、複数種類の前記電子回路製品の初期生産計画において別の前記電子回路製品の割込生産を行う際に、前記初期生産計画のうち前記割込生産を挿入可能な挿入候補を検索する挿入候補検索部と、前記挿入候補に前記割込生産を挿入した場合における当該割込生産の前後の段取り替えに要する前後段取り替え時間を、当該挿入候補の前後の生産および前記割込生産に基づいて、検索された前記挿入候補ごとに算出する前後段取り替え時間算出部と、それぞれの前記挿入候補に対する前記前後段取り替え時間に基づいて一の前記挿入候補を選択し、前記初期生産計画において選択された前記挿入候補に前記割込生産を挿入して前記生産計画を決定する生産計画決定部と、を備える。
【発明の効果】
【００１４】
請求項１に係る発明によると、初期生産計画のうち割込生産を挿入可能な挿入候補ごとに割込生産を挿入した場合の前後段取り替え時間を算出し、この前後段取り替え時間に基づいて一の挿入候補を選択するようにしている。これにより、割込生産に対応した段取り替え、および割込生産の後の生産に対応した段取り替えに要する時間を勘案して、初期生産計画に対して最適な位置に割込生産を挿入することができる。これにより、割込生産を挿入しても全体の生産時間に対する影響を低減することができるので、効率的な割込生産計画を決定することが可能となる。【００１５】
請求項２に係る発明によると、生産計画決定工程では、それぞれの挿入候補に対する割込生産時間に基づいて挿入候補を選択するようにしている。ここで、複数種類の電子回路製品を生産する順序によって全体の生産時間が相違することについては上記の通りであるが、その要因としては生産計画における段取り替え時間の変動の他に、各生産に要する生産時間の変動が考えられる。例えば、特許文献２の方法により段取り替えにおける最適な部品フィーダなどの設置位置を決定するものとした場合には、前後の生産との関係によりこれらの設置位置が変動することになる。【００１６】
そうすると、電子部品実装装置では、電子部品を吸着するために部品フィーダまでノズルを移動させるため、生産する電子回路製品の生産数、実装する電子部品の数量などによっては、部品フィーダの設置位置の相違が生産時間に影響することがある。そこで、本発明では、それぞれの挿入候補ごとに割込生産時間を算出するようにしている。これにより、生産計画決定工程では、割込生産時間を勘案して、初期生産計画に対して最適な位置に割込生産を挿入することができる。これにより、割込生産を挿入しても全体の生産時間に対する影響をさらに低減することができる。【００１７】
請求項３に係る発明によると、生産計画決定工程では、それぞれの挿入候補に対する段取り替え時間に係る増加時間に基づいて挿入候補を選択するようにしている。初期生産計画において、ある挿入候補に割込生産を挿入すると、当該挿入候補の後の生産に対応した段取り替えが取り消され、割込生産の前後の段取り替え（割込生産に対応する段取り替え、上記の後の生産に対応した段取り替え）が追加される。そこで、本発明では、取り消された段取り替え時間と挿入候補における前後段取り替え時間の増加時間を算出するようにしている。これにより、生産計画決定工程では、この増加時間を勘案して、初期生産計画に対して最適な位置に割込生産を挿入することができる。これにより、割込生産を挿入しても段取り替え時間を含む全体の生産時間に対する影響をさらに低減することができる。【００１８】
請求項４に係る発明によると、生産計画決定工程では、それぞれの挿入候補に対する割込後時間に基づいて挿入候補を選択するようにしている。ここで、複数種類の電子回路製品を生産する順序によって全体の生産時間が相違することについては上記の通りであるが、割込生産の挿入位置によっては部品フィーダなどの設置位置が段取り替えにより変動するため、当該挿入位置が割込生産以降の割込後時間（段取り替えおよび生産に要する時間）にも影響することがある。そこで、本発明では、それぞれの挿入候補ごとに割込後時間を算出するようにしている。これにより、生産計画決定工程では、この割込後時間を勘案して、初期生産計画に対して最適な位置に割込生産を挿入することができる。これにより、割込生産を挿入しても全体の生産時間に対する影響をさらに低減することができる。【００１９】
請求項５に係る発明によると、挿入候補検索工程では、初期生産計画のうち割込生産を挿入可能な挿入候補を検索する際に、初期生産計画における個々の生産および割込生産に設定された生産期限に基づくようにしている。このような条件を付加することで、割込生産の挿入により、割込生産自体が生産期限を超過してしまうことを確実に防止することができる。このように、予め挿入候補を絞ることにより、その後の前後段取り替え時間算出工程などの工程における計算負荷を低減することができる。よって、生産計画の決定までの時間を短縮することができる。【００２０】
請求項６に係る発明によると、挿入候補検索工程は、各生産ラインに対して決定されている複数の初期生産計画を検索対象とし、これらの初期生産計画のうち割込生産を挿入可能な挿入候補を検索するようにしている。これにより、複数の生産ラインによる生産を行う生産計画に対応し、より最適な位置に割込生産を挿入することができる。【００２１】
請求項７に係る発明によると、上述した請求項１に係る発明による効果と同様の効果を奏する。また、生産計画の決定方法における他の特徴部分についても、本発明の決定装置に同様に適用できる。この場合、同様の効果を奏する。
【図面の簡単な説明】
【００２２】
【図１】第一実施形態：電子部品実装装置の平面図である。
【図２】生産計画の決定装置を示すブロック図である。
【図３】生産計画の決定処理を示すフローチャートである。
【図４】割込生産の挿入処理を示すフローチャートである。
【図５】挿入候補の検索処理を示すフローチャートである。
【図６】初期生産計画および割込生産計画を示すタイムチャートである。
【図７】割込生産計画の決定処理を示すフローチャートである。
【図８】第二実施形態：生産計画の決定装置を示すブロック図である。
【図９】割込生産の挿入処理を示すフローチャートである。
【図１０】初期生産計画および割込生産計画を示すタイムチャートである。
【発明を実施するための形態】
【００２３】
以下、本発明の生産計画の決定方法および決定装置を具体化した実施形態について図面を参照して説明する。ここで、生産計画は、一または複数の生産ラインに対して決定され、複数種類の回路基板のそれぞれに電子部品を実装して複数種類の電子回路製品の生産を行うものである。また、上記の生産ラインでは、例えば、図示しないクリームハンダ印刷機により電子部品の実装位置にハンダを塗布し、電子部品実装装置を構成する複数の実装モジュールを順に搬送されて電子部品が装着される。その後に、回路基板をリフロー炉においてハンダ付けして電子回路製品が製造される。
【００２４】
＜第一実施形態＞
（電子部品実装装置１０の構成）
生産計画の適用対象となる電子部品実装装置１０について、図１を参照して説明する。図１に示すように、電子部品実装装置１０は、ベース１１と、コンベア１２と、一対のＸスライドガイド１３と、Ｘスライド体１４と、装着ヘッド１５と、複数のスロット１６と、部品フィーダ１７と、ノズル１８と、ノズルステーション１９とを備える。
【００２５】
ベース１１は、床上に固定される基台である。コンベア１２は、ベース１１の上面に設置され、コンベア１２上に載置された回路基板３０をＸ方向に搬送する搬送装置である。つまり、コンベア１２は、Ｘマイナス方向からＸプラス方向へ向かって、複数の回路基板３０を順次搬送する。一対のＸスライドガイド１３は、コンベア１２に対して、Ｙ方向の両外側にＸ方向に延びるようにそれぞれ設置される。Ｘスライド体１４は、一対のＸスライドガイド１３上に懸架されるように設けられ、ベース１１に対してＸ方向に移動可能に設けられている。
【００２６】
装着ヘッド１５は、Ｘスライド体１４に対してＹ方向に移動可能となるように、Ｘスライド体１４に着脱可能に設けられている。つまり、装着ヘッド１５は、ベース１１に対して、Ｘ方向およびＹ方向に移動可能となる。より詳細には、装着ヘッド１５は、コンベア１２上を搬送される回路基板３０と、後述する部品フィーダ１７との間を相対的に移動可能となる。この装着ヘッド１５の下端側には、ノズル１８が交換可能に装着される。また、装着ヘッド１５は、１つのノズル１８のみを装着するタイプと、複数のノズル１８を装着するタイプとが存在する。これは、実装する電子部品の大きさや、電子部品の全体数、種類数などに応じて適宜選択される。
【００２７】
複数のスロット１６は、ベース１１のうち、Ｘスライドガイド１３に対してコンベア１２よりも外側に設けられている。これら複数のスロット１６には、複数の部品フィーダ１７がそれぞれ設置される。部品フィーダ１７は、電子部品を収容する部品キャリヤであって、本実施形態においてはテープフィーダを示している。それぞれの部品フィーダ１７は、それぞれ一種類ずつの電子部品を収容している。
【００２８】
ノズル１８は、装着ヘッド１５の下端側に装着される。このノズル１８は、コンベア１２上を搬送される回路基板３０に対して複数の電子部品を実装するために、部品フィーダ１７に収容されている電子部品に対応し、当該電子部品を吸着などによって保持する。つまり、装着ヘッド１５をベース１１に対してＸ方向およびＹ方向に移動させることで、ノズル１８により部品フィーダ１７に収容される電子部品を回路基板３０へ装着することが可能となっている。
【００２９】
ノズルステーション１９は、複数のノズル１８の保管場所であって、装着ヘッド１５に装着されていない複数種類のノズル１８が設置される。装着ヘッド１５に装着するノズル１８を交換する場合には、装着ヘッド１５をノズルステーション１９へ移動させ、装着しているノズル１８をノズルステーション１９で取り外し、ノズルステーション１９に保管されている他のノズル１８を装着する。
【００３０】
（生産計画の決定装置４０の構成）
次に、上述した電子部品実装装置１０を用いた電子回路製品の生産を行う生産計画の決定装置４０、および当該決定装置４０による決定方法について、図２〜図７を参照して説明する。この生産計画は、電子部品実装装置１０を備える生産ラインに対して決定されたものであり、電子部品実装装置１０により電子部品を実装される各電子回路製品の生産と、各生産に対応した段取り替えにより構成される。
【００３１】
生産計画の決定装置４０は、図２に示すように、例えばＣＰＵなどにより構成される挿入候補検索部４１、前後段取り替え時間算出部４２、割込生産時間算出部４３、増加時間算出部４４、および生産計画決定部４５と、例えばＲＡＭなどにより構成される記憶部４６を備える。記憶部４６は、決定装置４０において演算される途中情報、初期生産計画などを記憶する。また、この生産計画の決定装置４０は、例えば、キーボード、ポインティングデバイス、およびタッチパネルなどの入力機器５０によって入力された情報を取り込む。そして、生産計画の決定装置４０は、以下に説明する処理によって、初期生産計画に対して割込生産を挿入して割込生産計画の生成を行う。
【００３２】
生産計画の決定装置４０による生産計画の決定処理は、図３に示すように、先ず、初期生産計画ＰＳｅの決定処理を行う（Ｓ１０）。ここで、初期生産計画ＰＳｅとは、生産する予定の各電子回路製品に実装される電子部品の種類や生産に設定された生産期限などを勘案して決定されている。この初期生産計画ＰＳｅには、段取り替え部材（複数のスロット１６にそれぞれ設置する部品フィーダ１７、ノズルステーション１９に設置するノズル１８、装着ヘッド１５に装着されるノズル１８、および電子部品実装装置１０に着脱可能に設けられる装着ヘッド１５）を対象として、各生産に対応した段取り替えが必要に応じて含まれている。
【００３３】
この初期生産計画ＰＳｅにおける段取り替え計画については、例えば、特開平９−１０７１９７号公報や特開平１１−８７９９６号公報などにより公知の技術を用いて決定するようにしてもよい。つまり、後述する割込生産が発生しなければ、段取り替えが最も少なくなるように、各生産における部品フィーダ１７を設置するスロット１６の位置を決定する。また、この段取り替え計画においては、各生産に要する生産時間が段取り替え部材の設置位置などによって変動することから、生産時間を勘案した上で段取り替えが最も少なくなるように決定されるようにしてもよい。
【００３４】
また、部品フィーダ１７を設置するスロット１６を決定する他に、装着ヘッド１５にそれぞれ異なる複数のノズル１８を装着できる場合には、装着ヘッド１５における複数のノズル装着部およびノズルステーション１９における保管位置を、上記のスロット１６と見立てることにより同様の処理によって段取り替え計画の決定処理を行うことができる。さらに、電子部品実装装置１０においてＸスライド体１４に着脱可能に設けられた装着ヘッド１５についても、実装する電子部品によっては交換を要する場合がある。また、電子部品実装装置１０が複数の装着ヘッド１５を保管するヘッドステーションを備える場合には、このヘッドステーションを上記のスロット１６と見立てることにより同様の処理によって段取り替え計画の決定処理を行うことができる。
【００３５】
上記のように決定された初期生産計画ＰＳｅにより生産が開始された後に、実際の生産ラインにおいては、初期生産計画ＰＳｅとは別の電子回路製品の割込生産を行う場合が生じる。割込生産に係る割込生産を初期生産計画ＰＳｅに挿入するためには、部品フィーダ１７やノズル１８などの段取り替え部材について、割込生産の前後において段取り替えを行う必要がある。また、初期生産計画ＰＳｅにおける複数の生産間のうち割込生産を挿入する位置が全体の生産時間に影響する場合がある。そこで、生産計画の決定装置４０は、割込生産の有無を判定している（Ｓ２０）。そして、例えば、割込生産Ｘｎが生じた場合には（Ｓ２０：Ｙｅｓ）、初期生産計画ＰＳｅに対して最適な位置に割込生産Ｘｎを挿入するように割込生産の挿入処理を行う（Ｓ３０）。
【００３６】
そして、割込生産がない場合（Ｓ２０：Ｎｏ）、または割込生産Ｘｎがある場合で割込生産の挿入処理を終えた場合（Ｓ３０）、全ての生産が終了したか否かを判定する（Ｓ４０）。全て終了していない場合には（Ｓ４０：Ｎｏ）、再びステップＳ２０に戻り、割込生産の有無を判定しながら生産計画の実行を繰り返す。一方で、全ての生産が終了した場合には（Ｓ４０：Ｙｅｓ）、生産計画の決定処理を終了する。
【００３７】
次に、割込生産計画の決定処理について、図４〜図７を参照して説明する。当該処理では、図４に示すように、先ず、挿入候補検索部４１により、初期生産計画ＰＳｅのうち割込生産Ｘｎを挿入可能な挿入候補の検索処理を行う（Ｓ３１）。挿入候補の検索処理では、図５に示すように、先ず、生産ラインごとの初期生産計画ＰＳｅを記憶部４６から取得する（Ｓ３１１）。本実施形態では、初期生産計画ＰＳｅは、一の生産ラインを対象としているものとし、図６に示すように、生産Ｘａ〜Ｘｆおよび各生産Ｘａ，Ｘｃ，Ｘｅ，Ｘｆに対応する段取り替えＰａ、Ｐｃ、Ｐｅ，Ｐｆにより構成されているものとする。なお、生産Ｘｂ，Ｘｄは、直前の生産である生産Ｘａ，Ｘｃと段取り替え部材が同様の設置位置により生産が可能であり、段取り替えを要さない生産としている。
【００３８】
挿入候補検索部４１は、割込生産Ｘｎに係る生産情報を記憶部４６から取得する（Ｓ３１２）。当該生産情報には、割込生産Ｘｎに設定された生産期限Ｔｌ、実装する電子部品の種類、生産数などが含まれている。そして、挿入候補検索部４１は、現在における初期生産計画ＰＳｅの進行状態、初期生産計画ＰＳｅにおける個々の生産に設定された生産期限、および割込生産Ｘｎの生産期限Ｔｌに基づいて、挿入範囲Ｒを設定する（Ｓ３１３）。挿入範囲Ｒは、初期生産計画ＰＳｅにおいて割込生産Ｘｎの生産終了時刻が収まらなければならない範囲である。また、割込生産Ｘｎの生産期限Ｔｌについては、既に初期生産計画ＰＳｅに含まれている所定の生産を指定して、例えば当該指定生産よりも先に生産が終了するように設定してもよい。このような場合においても挿入候補検索部４１は、同様の処理により挿入範囲Ｒを設定する。なお、初期生産計画に対する割込生産Ｘｎの挿入可能な開始期限を設定してもよい。このような場合は、挿入範囲Ｒの開始が初期生産計画に対する挿入可能な開始期限となる。
【００３９】
続いて、初期生産計画ＰＳｅにおける各生産間のうち挿入範囲Ｒに含まれるものを挿入候補として検索する（Ｓ３１４）。ここでは、生産Ｘａ〜Ｘｅまでの間が挿入範囲Ｒに含まれ、図６に示すように、挿入候補Ｃ１〜Ｃ４が検索されたものとする。挿入候補検索部４１は、各挿入候補Ｃ１〜Ｃ４について、段取り替えが含まれるかを判定する（Ｓ３１５）。ここでは、挿入候補Ｃ１，Ｃ３の直後の生産Ｘｂ，Ｘｄには段取り替えがないが、挿入候補Ｃ２，Ｃ４の直後の生産Ｘｃ，Ｘｅには段取り替えＰｃ，Ｐｅがある（Ｓ３１５：Ｎｏ）。そこで、挿入候補Ｃ１〜Ｃ４のうち段取り替えが含まれない挿入候補Ｃ１，Ｃ３を除外し（Ｓ３１６）、挿入候補の検索処理における結果を挿入候補Ｃ２，Ｃ４として終了する。
【００４０】
一方で、例えば、全ての挿入候補に段取り替えが含まれない場合には（Ｓ３１５：Ｙｅｓ）、現在から時間的に最も近い挿入候補Ｃ１を残して、他の挿入候補Ｃ２〜Ｃ４を除外する（Ｓ３１７）。ここで、初期生産計画ＰＳｅに割込生産Ｘｎを挿入すると生産と段取り替えが増加することから、生産計画の決定装置４０では、もともと段取り替えを要する生産間に優先して割込生産Ｘｎを挿入するようにしている。これにより、割込生産Ｘｎの挿入後における全体の生産時間への影響の低減を図っている。しかし、全ての挿入候補に段取り替えが含まれない場合には（Ｓ３１５：Ｙｅｓ）、何れの挿入候補に挿入しても割込生産Ｘｎに対応する段取り替えによる生産時間の増加を伴うため、挿入候補を直近のものに絞るようにしている（Ｓ３１７）。
【００４１】
再び図４に戻り、割込生産の挿入処理では、挿入候補の検索処理（Ｓ３１）が終了すると、処理結果に複数の挿入候補があるか判定する（Ｓ３２）。処理結果に含まれる挿入候補が複数でない場合には（Ｓ３２：Ｎｏ）、ステップＳ３６の割込生産計画の決定処理に移行する。一方で、挿入候補の検索処理の処理結果に複数の挿入候補が含まれる場合には（Ｓ３２：Ｙｅｓ）、これらの挿入候補から最適な一の挿入候補を選択する必要があるため、ステップＳ３３〜Ｓ３５により上記選択のための準備を行う。ここでは、処理結果に挿入候補Ｃ２および挿入候補Ｃ４が含まれるため、ステップＳ３３に移行する。ここで、便宜上、挿入候補Ｃ２および挿入候補Ｃ４に割込生産Ｘｎが挿入されたものと仮定して、挿入後の割込生産計画ＰＳａ２および割込生産計画ＰＳａ４をそれぞれ図６に示す。
【００４２】
先ず、前後段取り替え時間算出部４２により、前後段取り替え時間を検索された挿入候補ごとに算出する（Ｓ３３）。この「前後段取り替え時間」は、ある挿入候補に割込生産Ｘｎを挿入した場合における当該割込生産Ｘｎの前後の段取り替えに要する時間である。つまり、挿入候補Ｃ２に割込生産Ｘｎを挿入した場合における前後段取り替え時間Ｔｐ２は、割込生産Ｘｎに対応する段取り替えＰｎ１に要する時間Ｔｐｎ１と、生産Ｘｃに対応する段取り替えＰｎ２に要する時間Ｔｐｎ２との和に相当し、下記の数１（１）にて示される。同様に検索されている挿入候補Ｃ４に割込生産Ｘｎを挿入した場合における前後段取り替え時間Ｔｐ４は、割込生産Ｘｎに対応する段取り替えＰｎ３に要する時間Ｔｐｎ３と、生産Ｘｅに対応する段取り替えＰｎ４に要する時間Ｔｐｎ４との和に相当し、下記の数１（２）にて示される。
【００４３】
【数１】
2013124959.tif 000003
【００４４】
また、本実施形態では、割込生産Ｘｎの前段取り替えＰｎ１，Ｐｎ３については、ステップＳ１０において初期生産計画ＰＳｅにおける段取り替え計画を決定した場合と同様の方法により当該前段取り替えの最適化を図っている。さらに、割込生産Ｘｎの後段取り替えＰｎ２，Ｐｎ４、即ち挿入候補Ｃ２（Ｃ４）に挿入した場合にあっては生産Ｘｃ（Ｘｅ）に対応する段取り替えにおいて、初期生産計画ＰＳｅにおける段取り替え計画により既に決定されている段取り替えの設置位置に戻すように当該後段取り替えを決定している。つまり、挿入候補Ｃ２（Ｃ４）への割込生産Ｘｎの挿入の有無に係わらず、直後の生産Ｘｃ（Ｘｅ）における段取り替え部材の設置位置は変化しないようにしている。
【００４５】
そして、前後段取り替え時間算出部４２は、前後段取り替え時間Ｔｐ２を挿入候補Ｃ２の前後の生産Ｘｂ，Ｘｃおよび割込生産Ｘｎに基づいて、また前後段取り替え時間Ｔｐ４を挿入候補Ｃ４の前後の生産Ｘｄ，Ｘｅおよび割込生産Ｘｎに基づいて、それぞれ算出する。ここで、算出された前後段取り替え時間Ｔｐ２，Ｔｐ４は、ともに割込生産Ｘｎに対応した段取り替えに要する時間を含むが、挿入候補Ｃ２，Ｃ４の前後の生産における段取り替え部材の設置位置などに応じて変動するため、前後段取り替え時間Ｔｐ２の方が前後段取り替え時間Ｔｐ４より小さい値（Ｔｐ２＜Ｔｐ４）となっている。
【００４６】
次に、割込生産時間算出部４３により、割込生産時間を検索された挿入候補ごとに算出する（Ｓ３４）。この「割込生産時間」は、ある挿入候補に割込生産Ｘｎを挿入した場合における当該生産に要する時間である。よって、割込生産時間算出部４３は、挿入候補Ｃ２（Ｃ４）に割込生産Ｘｎを挿入した場合における割込生産時間Ｔｘｎ２（Ｔｘｎ４）を挿入候補Ｃ２（Ｃ４）の前の生産Ｘｂ（Ｘｄ）および割込生産Ｘｎに基づいて算出する。
【００４７】
ここで、算出された割込生産時間Ｔｘｎ２，Ｔｘｎ４は、ともに割込生産Ｘｎに要する時間であるが、挿入候補Ｃ２，Ｃ４の前の生産Ｘｂ，Ｘｄにおける段取り替え部材の設置位置などに応じて割込生産Ｘｎにおける段取り替え部材の設置位置が変動するため、割込生産時間Ｔｘｎ２の方が割込生産時間Ｔｘｎ４よりも小さい値（Ｔｘｎ２＜Ｔｘｎ４）となっている。これは、電子部品実装装置１０では、電子部品を吸着するために部品フィーダ１７までノズル１８を移動させることから、生産する電子回路製品の生産数、実装する電子部品の数量などによっては、部品フィーダ１７などの段取り替え部材の設置位置の相違が生産時間Ｔｘｎ２，Ｔｘｎ４に影響するためである。
【００４８】
続いて、増加時間算出部４４により、前後段取り替え時間の増加時間を挿入候補ごとに算出する（Ｓ３５）。ここで、初期生産計画ＰＳｅにおいて、ある挿入候補に割込生産Ｘｎを挿入すると、当該挿入候補の後の生産に対応した段取り替えが取り消され、割込生産Ｘｎの前段取り替えおよび後段取り替えが追加される。また、取り消される段取り替えに要する時間は、その後の生産に対応しているため互いに異なるものである。
【００４９】
これに対して、増加時間算出部４４は、挿入候補Ｃ２において取り消される段取り替えＰｃに要する時間Ｔｐｃと、ステップ３３で算出された挿入候補Ｃ２における前後段取り替え時間Ｔｐ２の増加時間ΔＴｐｉ２を算出する。この増加時間ΔＴｐｉ２は、下記の数２（３）にて示される。増加時間算出部４４は、同様に、挿入候補Ｃ４において取り消される段取り替えＰｅに要する時間と、挿入候補Ｃ４における前後段取り替え時間Ｔｐ４の増加時間ΔＴｐｉ４を算出する。この増加時間ΔＴｐｉ４は、下記の数２（４）にて示される。
【００５０】
【数２】
2013124959.tif 000004
【００５１】
その後に、生産計画決定部４５により、割込生産計画の決定処理が行われる（Ｓ３６）。割込生産計画の決定処理では、図７に示すように、先ず、一の挿入候補が選択される（Ｓ３６１）。本実施形態では、ステップＳ３１の挿入候補の検索処理により、挿入候補Ｃ２，Ｃ４が検索されている。そこで、生産計画決定部４５は、挿入候補Ｃ２，Ｃ４に係る前後段取り替え時間Ｔｐ２，Ｔｐ４に係る増加時間ΔＴｐｉ２，ΔＴｐｉ４、および割込生産Ｘｎの割込生産時間Ｔｘｎ２，Ｔｘｎ４に基づいて、一の挿入候補を選択する。ここでは、挿入候補Ｃ２に係る増加時間ΔＴｐｉ２と割込生産時間Ｔｘｎ２の和が、挿入候補Ｃ４に係る増加時間ΔＴｐｉ４と割込生産時間Ｔｘｎ４の和よりも小さく、挿入候補Ｃ２が選択されたものとする。
【００５２】
より詳細には、図６に示すように、挿入候補Ｃ２に割込生産Ｘｎを挿入した場合の全体増加時間ΔＴｘｉ２が、挿入候補Ｃ４に割込生産Ｘｎを挿入した場合の全体増加時間ΔＴｘｉ４よりも小さい値（ΔＴｘｉ２＜ΔＴｘｉ４）であったため、挿入候補Ｃ２が選択されることになる。上記の全体増加時間ΔＴｘｉ２，ΔＴｘｉ４は、下記の数３（５），（６）にて示される。
【００５３】
【数３】
2013124959.tif 000005
【００５４】
次に、生産計画決定部４５は、ステップＳ３６１において選択された挿入候補Ｃ２に割込生産Ｘｎを挿入したものと仮定し、割込生産Ｘｎの生産終了時間が、割込生産Ｘｎに設定された生産期限Ｔｌを超過しないか否かを判定する（Ｓ３６２）。このとき、ステップＳ３３で算出された割込生産Ｘｎに対応する段取り替えに要する時間Ｐｎ１、およびステップＳ３４で算出された割込生産Ｘｎの割込生産時間Ｔｘｎ２に基づいて、上記の判定が行われる。このような時間に基づくことで、判定の精度を向上させることが可能となる。この判定において、生産期限Ｔｌを超過しない場合には（Ｓ３６２：Ｙｅｓ）、生産計画決定部４５は、初期生産計画ＰＳｅにおいて選択された挿入候補Ｃ２に割込生産Ｘｎを挿入して割込生産計画ＰＳａ２を決定し（Ｓ３６３）、割込生産計画の決定処理を終了する。
【００５５】
一方で、現在選択されている挿入候補に割込生産Ｘｎを挿入すると生産期限Ｔｌを超過する場合には（Ｓ３６２：Ｎｏ）、複数の挿入候補から判定の対象となった挿入候補を除外する（Ｓ３６４）。そして、他の挿入候補が残っているか否かを判定し（Ｓ３６５）、挿入候補が残っている場合には（Ｓ３６５：Ｙｅｓ）、再びステップＳ３６１に戻り一の選択候補を選択する。また、他の挿入候補が残っていない場合には（Ｓ３６５：Ｎｏ）、検索された挿入候補に割込生産Ｘｎを挿入することができない状態と考えられる。よって、例えば、挿入候補の検索における条件の変更などを促すために、操作者に対してエラー出力をして（Ｓ３６６）、割込生産計画の決定処理を終了する。そして、決定装置４０は、生産計画決定部４５による割込生産計画の決定処理（Ｓ３６）の終了をもって、割込生産の挿入処理（Ｓ３０）を終了する。
【００５６】
（生産計画の決定装置４０による効果）
上述した生産計画の決定装置４０によれば、割込生産の挿入処理（Ｓ３０）では、初期生産計画ＰＳｅのうち割込生産Ｘｎを挿入可能な挿入候補（Ｃ２，Ｃ４）ごとに割込生産Ｘｎを挿入した場合の前後段取り替え時間Ｔｐ２，Ｔｐ４を算出し（Ｓ３３）、この前後段取り替え時間Ｔｐ２，Ｔｐ４に基づいて一の挿入候補を選択するものとした（Ｓ３６）。これにより、割込生産Ｘｎに対応した段取り替え、および割込生産Ｘｎの後の生産に対応した段取り替えに要する時間を勘案して、初期生産計画ＰＳｅに対して最適な位置に割込生産Ｘｎを挿入することができる。
【００５７】
また、割込生産の挿入処理（Ｓ３０）では、それぞれの挿入候補Ｃ２，Ｃ４に対する割込生産時間Ｔｘｎ２，Ｔｘｎ４を算出し（Ｓ３４）、この算出結果に基づいて挿入候補を選択するものとした（Ｓ３６）。これにより、割込生産計画の決定処理（Ｓ３６）では、割込生産時間Ｔｘｎ２，Ｔｘｎ４を勘案して、初期生産計画ＰＳｅに対して最適な位置に割込生産Ｘｎを挿入することができる。これにより、割込生産Ｘｎを挿入しても全体の生産時間に対する影響をさらに低減することができる。
【００５８】
さらに、割込生産の挿入処理（Ｓ３０）では、それぞれの挿入候補Ｃ２，Ｃ４に対する段取り替え時間Ｔｐ２，Ｔｐ４に係る増加時間ΔＴｐｉ２，ΔＴｐｉ４を算出し（Ｓ３５）、この算出結果に基づいて挿入候補を選択するものとした（Ｓ３６）。これにより、割込生産計画の決定処理（Ｓ３６）では、この増加時間ΔＴｐｉ２，ΔＴｐｉ４を勘案して、初期生産計画ＰＳｅに対して最適な位置に割込生産Ｘｎを挿入することができる。
【００５９】
ここで、挿入候補Ｃ２に割込生産Ｘｎを挿入した割込生産計画ＰＳａ２と、割込候補Ｃ４に割込生産Ｘｎを挿入した割込生産計画ＰＳａ４とでは、図６に示すように、その全体の生産時間にΔＴＰｒの差が生じる。このΔＴＰｒは、各挿入候補Ｃ２，Ｃ４に挿入した場合における全体増加時間ΔＴｘｉ２，ΔＴｘｉ４の差分に相当する（ΔＴＰｒ＝ΔＴｘｉ４−ΔＴｘｉ２）。このように、同一の割込生産Ｘｎを挿入する場合であっても、初期生産計画ＰＳｅおける挿入する位置によっては全体の生産時間に影響する。そして、本実施形態の生産計画の決定装置４０により、最適な挿入位置に割込生産を挿入し、全体の生産時間に対する影響を低減することができるので、効率的な割込生産計画を決定することができる。
【００６０】
挿入候補の検索処理（Ｓ３１）では、初期生産計画ＰＳｅのうち割込生産Ｘｎを挿入可能な挿入候補を検索する際に、初期生産計画ＰＳｅにおける個々の生産および割込生産Ｘｎに設定された生産期限Ｔｌに基づいて挿入範囲Ｒを設定した（Ｓ３１３）。そして、この挿入範囲Ｒに含まれるという条件下で挿入候補を検索するものとした（Ｓ３１４）。このような条件を付加することで、割込生産Ｘｎの挿入により、割込生産自体が生産期限Ｔｌを超過してしまうことを確実に防止することができる。このように、予め挿入候補を絞ることにより、その後の前後段取り替え時間などの算出における計算負荷を低減することができる。よって、生産計画の決定までの時間を短縮することができる。
【００６１】
＜第二実施形態＞
（生産計画の決定装置１４０の構成）
第二実施形態の生産計画の決定装置１４０、および当該決定装置１４０による決定方法について、図３，図４，図８〜図１０を参照して説明する。本実施形態における生産計画の決定装置１４０は、主として、第一実施形態と挿入候補以降の段取り替えおよび生産に要する割込後時間を算出し、当該割込後時間に基づいて一の挿入候補を選択する構成が相違する。その他の共通する構成については、第一実施形態と実質的に同一であるため、詳細な説明を省略する。以下、相違点のみについて説明する。
【００６２】
生産計画の決定装置１４０は、図８に示すように、挿入候補検索部４１、前後段取り替え時間算出部４２、割込生産時間算出部４３、増加時間算出部４４、生産計画決定部４５、および記憶部４６に加えて、割込後時間算出部１４７を備える。割込後時間算出部１４７は、図３における割込生産の挿入処理（Ｓ３０）において、割込後時間を算出する。この「割込後時間」とは、ある挿入候補に割込生産Ｘｎを挿入した場合における当該挿入候補以降の段取り替えおよび生産に要する時間である。より具体的には、図１０に示すように、挿入候補Ｃ２に割込生産Ｘｎを挿入する場合の割込後時間Ｔａ２は、段取り替えＰｎ２，Ｐｅ，Ｐｆにそれぞれ要する時間と、生産Ｘｃ〜Ｘｆにそれぞれ要する時間の総和に相当することになる。同様に、挿入候補Ｃ４に割込生産Ｘｎを挿入する場合の割込後時間Ｔａ４は、段取り替えＰｎ４，Ｐｆにそれぞれ要する時間と、生産Ｘｅ，Ｘｆにそれぞれ要する時間の総和に相当する。
【００６３】
ところで、第一実施形態においては、図４におけるステップＳ３３では前後段取り替え時間算出部４２により、ある挿入候補に割込生産Ｘｎを挿入した場合における当該割込生産Ｘｎの前後の段取り替えに要する前後段取り替え時間を算出するものとした。そして、割込生産Ｘｎの後段取り替えにおいては、初期生産計画ＰＳｅにおける段取り替え計画により既に決定されている段取り替えの設置位置に戻すように当該後段取り替えを決定するものとした。つまり、挿入候補への割込生産Ｘｎの挿入の有無に係わらず、直後の生産における段取り替え部材の設置位置は変化しないようにしている。
【００６４】
これに対して、割込生産Ｘｎの後段取り替えを含む以降の段取り替えでは、初期生産計画ＰＳｅの決定処理（Ｓ１０）で行ったように、段取り替え計画の全体的な見直しを行うことで、さらなる最適化を図ることが可能である。そこで、本実施形態では、割込生産の挿入処理（Ｓ３０）において、前後段取り替え時間の算出に換えて、割込後時間を算出するようにしている。
【００６５】
割込生産の挿入処理では、図９に示すように、先ず、挿入候補検索部４１により、初期生産計画ＰＳｅのうち割込生産Ｘｎを挿入可能な検索処理を行う（Ｓ３１）。この処理およびステップＳ３２については、第一実施形態と同様なので詳細な説明を省略する。そして、挿入候補の検索処理の処理結果に複数の挿入候補が含まれる場合には（Ｓ３２：Ｙｅｓ）、これらの挿入候補から最適な一の挿入候補を選択する必要があるため、ステップＳ１３７〜Ｓ１３９，Ｓ３４，Ｓ３５により上記の選択のための準備を行う。ここでは、処理結果に挿入候補Ｃ２および挿入候補Ｃ４が含まれるものとし、ステップＳ１３７に移行する。
【００６６】
生産計画の決定装置１４０は、初期生産計画ＰＳｅにおける段取り替え計画の決定と同様の方法により、それぞれの挿入候補に割込生産Ｘｎを挿入したものとして、挿入候補Ｃ２，Ｃ４ごとに割込段取り替え計画の決定処理を行う（Ｓ１３７）。これにより、挿入候補Ｃ２に割込生産Ｘｎを挿入した場合における段取り替えＰｎ２，Ｐｅ，Ｐｆによる各段取り替え部材の設置位置などが決定され、割込生産計画ＰＳａ２が作成される。同様に、挿入候補Ｃ４に割込生産Ｘｎを挿入した場合における段取り替えＰｎ４，Ｐｆによる各段取り替え部材の設置位置などが決定され、割込生産計画ＰＳａ４が作成される。
【００６７】
上述したように、段取り替え部材の設置位置などが変更されると、これに応じて段取り替え時間および生産時間が変動することがある。そこで、割込後時間算出部１４７は、挿入候補Ｃ２に係る割込後時間Ｔａ２、および挿入候補Ｃ４に係る割込後時間Ｔａ４を算出する（Ｓ１３８）。さらに、割込生産Ｘｎに対応する段取り替え時間Ｔｐｎ１，Ｔｐｎ３を挿入候補（Ｃ２，Ｃ４）ごとに算出する（Ｓ１３９）。以降のステップＳ３４，Ｓ３５については、第一実施形態と同様なので詳細な説明を省略する。
【００６８】
その後に、生産計画決定部４５により、割込生産計画の決定処理が行われる（Ｓ３６）。当該処理では、挿入候補Ｃ２，Ｃ４に係る割込後時間Ｔａ２，Ｔａ４、割込生産Ｘｎの生産時間Ｔｘｎ２，Ｔｘｎ４および割込生産Ｘｎに対応する段取り替え時間Ｔｐｎ１，Ｔｐｎ３に基づいて、一の挿入候補を選択するようにしている。より具体的には、以下のような比較を行う。割込候補Ｃ２に割込生産Ｘｎを挿入した場合における割込生産Ｘｎに対応する段取り替えＰｎ１以降に要する割込総生産時間Ｔｔｐ２を算出する。同様に、割込候補Ｃ４に割込生産Ｘｎを挿入した場合における割込生産Ｘｎに対応する段取り替えＰｎ３以降に要する割込総生産時間Ｔｔｐ４を算出する。これらの割込総生産時間Ｔｔｐ２，Ｔｔｐ４は、下記の数４（７），（８）にて示される。
【００６９】
【数４】
2013124959.tif 000006
【００７０】
そして、初期生産計画における段取り替えＰｃおよび段取り替えＰｅ以降に要する初期総生産時間Ｔｔｐｃ，Ｔｔｐｅをそれぞれ算出する。さらに、それぞれ対応する総生産時間の差分を求め、割込候補Ｃ２，Ｃ４に挿入した場合の総生産増加時間ΔＴｔｐｃ，ΔＴｔｐｅを算出する。そして、この総生産増加時間ΔＴｔｐｃの方が総生産増加時間ΔＴｔｐｅよりも小さい値（ΔＴｔｐｃ＜ΔＴｔｐｅ）であったため、挿入候補Ｃ２が選択されることになる。上記の総生産増加時間ΔＴｔｐｃ，ΔＴｔｐｅは、下記の数５（９），（１０）にて示される。
【００７１】
【数５】
2013124959.tif 000007
【００７２】
これにより、挿入候補以降の段取り替えおよび生産に要する割込後時間を勘案した挿入候補の選択が可能となる。そして、初期生産計画ＰＳｅにおける挿入候補に割込生産Ｘｎを挿入するとともに、それ以降の段取り替え計画をステップＳ１３７により決定した割込段取り替え計画に置換して、割込生産計画の決定処理を終了する。その他のステップについては、第一実施形態と同様なので詳細な説明を省略する。
【００７３】
上述した生産計画の決定装置１４０によれば、割込生産の挿入処理（Ｓ３０）では、それぞれの挿入候補Ｃ２，Ｃ４に対する割込後時間Ｔａ２，Ｔａ４を算出し、この算出結果に基づいて一の挿入候補を選択するものとした。これにより、割込生産Ｘｎおよびそれ以降の生産に対応する割込段取り替え計画を最適化できるので、より確実に生産効率のよい生産計画を決定することができる。従って、割込生産Ｘｎが発生しても全体の生産時間に対する影響をさらに低減することができる。
【００７４】
＜第一、第二実施形態の変形態様＞
第一、第二実施形態では、電子部品実装装置１０を備える生産ラインに対して決定された生産計画を対象として、割込生産Ｘｎを挿入する態様を例示して説明した。これに対して、生産計画には、複数の電子部品実装装置を用いた複数の生産ラインによる電子回路製品の生産が含まれるようにしてもよい。つまり、挿入候補検索部４１は、各生産ラインに対して決定されている複数の初期生産計画ＰＳｅを検索対象とし、これらの初期生産計画ＰＳｅのうち割込生産Ｘｎを挿入可能な挿入候補を検索する。これにより、複数の生産ラインによる生産を行う生産計画に対応し、より最適な位置に割込生産Ｘｎを挿入することができる。
【００７５】
また、割込生産計画の決定処理では、挿入候補ごとに算出された前後段取り替え時間、割込生産時間、増加時間、割込後時間などに基づいて一の挿入候補を選択するものとした（Ｓ３６１）。さらに、例えば割込生産Ｘｎの生産期限Ｔｌに対する余裕度を挿入候補ごとに算出し、この算出結果に基づいて一の挿入候補を選択するようにしてもよい。電子部品実装装置１０を備える生産ラインにおいては、種々の原因により生産が一時的に停止することがある。そのため、効率的な割込生産計画であっても生産期限Ｔｌの間際に割込生産Ｘｎが終了する計画の場合には、一時的な停止による影響が懸念される。そこで、上記のように、生産期限Ｔｌに対する余裕度に基づいて一の挿入候補を選択することで、効率的で且つ割込生産Ｘｎの生産期限Ｔｌに対して余裕を持たせることができる。
【符号の説明】
【００７６】
１０：電子部品実装装置
１１：ベース、  １２：コンベア、  １３：Ｘスライドガイド
１４：Ｘスライド体、  １５：装着ヘッド、  １６：スロット
１７：部品フィーダ、  １８：ノズル、  １９：ノズルステーション
３０：回路基板
４０：決定装置
４１：挿入候補検索部、  ４２：前後段取り替え時間算出部
４３：割込生産時間算出部、  ４４：増加時間算出部
４５：生産計画決定部、  ４６：記憶部、  １４７：割込後時間算出部
５０：入力機器
【図１】
2013124959.tif 000008
【図２】
2013124959.tif 000009
【図３】
2013124959.tif 000010
【図４】
2013124959.tif 000011
【図５】
2013124959.tif 000012
【図６】
2013124959.tif 000013
【図７】
2013124959.tif 000014
【図８】
2013124959.tif 000015
【図９】
2013124959.tif 000016
【図１０】
2013124959.tif 000017
【国際調査報告】
2013124959.tif 000018
2013124959.tif 000019